(57)【特許請求の範囲】
【請求項１】
異なる標準時を使用する通信網の間で、設定時刻に応じた付加サービスを実行する通信システムにおいて、
当該付加サービスを登録した加入者のホーム通信網と該加入者の移動先通信網との間で送受される通信網識別番号情報を基に移動先通信網との間の時差を求める手段と、
前記ホーム通信網のホームロケーションレジスタに格納された加入者データ内の付加サービス用タイムテーブルの設定時刻から、前記移動先通信網との時差を基に補正した移動先通信網の標準時によるタイムテーブルを作成し、保持する手段と、
前記移動先通信網からの前記タイムテーブルの変更要求に応じて、前記移動先通信網の標準時によるタイムテーブルを変更する手段とを備え、
移動先通信網の標準時によるタイムテーブルを基に設定時刻に応じた付加サービスを実行することを特徴とする時差補正時刻による通信付加サービスシステム。
【請求項２】
前記付加サービスを登録した加入者のホーム通信網は、前記移動先通信網との間の時差を求める手段と、前記時差補正した移動先通信網の標準時によるタイムテーブルを作成し、保持する手段と、前記時差補正した移動先通信網の標準時によるタイムテーブルを移動先通信網に送信する手段とを備えたことを特徴とする請求項１記載の時差補正時刻による通信付加サービスシステム。
【請求項３】
前記加入者の移動先通信網は、前記付加サービスを登録した加入者のホーム通信網との間の時差を求める手段と、前記時差補正した移動先通信網の標準時によるタイムテーブルを作成し、保持する手段と、前記時差補正した移動先通信網の標準時によるタイムテーブルを前記加入者のホーム網に送信する手段とを備えたことを特徴とする請求項１記載の時差補正時刻による通信付加サービスシステム。
【請求項４】
異なる標準時を使用する通信網の間で、設定時刻に応じた付加サービスを実行する通信システムにおいて、
当該付加サービスを登録した加入者のホーム通信網の識別番号情報を基に、該通信網のホームロケーションレジスタに格納された加入者データ内の付加サービス用タイムテーブルの設定時刻を、国際標準時による時刻に時差補正したタイムテーブルを格納する汎用ロケーションレジスタを設け、
各通信網は、前記汎用ロケーションレジスタに格納された国際標準時によるタイムテーブルを読み出し、それぞれの通信網で使用している標準時と国際標準時との時差を基に、前記国際標準時によるタイムテーブルの設定時刻を各通信網で使用されている標準時の時刻に時差補正する手段を備え、
各通信網は、それぞれの通信網の標準時刻に時差補正したタイムテーブルに基づいて設定時刻に応じた付加サービスを実行することを特徴とする時差補正時刻による通信付加サービスシステム。
【請求項５】
請求項１に記載した通信網識別番号情報を基に移動先通信網との間の時差を求める手段に代えて、移動先通信網において、移動機に内蔵された時計機能の時刻情報を受信し、該時刻情報を基に移動先通信網の標準時刻との時差を求める手段を備えたことを特徴とする請求項１乃至３いずれか１項記載の時差補正時刻による通信付加サービスシステム。
【請求項６】
前記移動先の通信網は、前記移動機に内蔵された時計機能の時刻情報から時差を求めた後、該移動機内蔵の時計機能の時刻を時差補正する信号を該移動機に送信する手段を備えたことを特徴とする請求項５記載の時差補正時刻による通信付加サービスシステム。
【発明の詳細な説明】
【０００１】
【発明の属する技術分野】
本発明は電話通信等の通信システムにおいて、設定時刻応じた付加サービスを提供する際に、通信相手先の地域に時差がある場合、その時差を補正した時刻により付加サービスを提供する通信付加サービスシステムに関する。
【０００２】
【従来の技術】
設定時刻に応じた付加サービスとして、例えば、オぺレータ接続等において、夜間はオペレータ要員が不在となるため、予め設定した夜間時間帯は昼間とは異なるルーティングで着信するように登録しておき、通信網は設定された時刻に応じてルーティングを行なう付加サービスがある。
【０００３】
そのほか、時刻に応じた付加サービスとして、設定時刻に応じて在不在を自動登録する留守番電話サービス、設定時刻に応じて転送／不転送又は転送先を変更する着信転送サービス、設定時刻に応じて着信又は発信を規制するサービス等がある。
【０００４】
加入者に設定時刻に応じた付加サービスを提供する通信網は、各加入者の要求する付加サービス毎の設定時刻を記憶するタイムテーブルを備え、該タイムテーブルに記憶された時刻に基づいて付加サービスを提供する。
【０００５】
ただし、その基準となる時刻は、付加サービスを提供する通信網で使用している標準時を基にした時刻であり、該付加サービスを受ける加入者が時差のある遠方の地域に移動した場合でも、その時差補正を行って付加サービス提供する機能は備えていなかった。
【０００６】
そのため、設定時刻に応じた付加サービスを受ける加入者は、そのサービスを提供する通信網で使用している標準時による時刻のみで時刻を設定し、付加サービスを登録又は変更する必要があった。
【０００７】
【発明が解決しようとする課題】
近年、通信サービスのグローバル化と多様化が進み、時、場所、相手に対する制約や制限がなくなりつつあり、何時でも何処でも誰とでも電話や各種のデータ通信が簡便に行なわれるようになってきている。しかし、その簡便性が逆に以下に述べるような問題を引き起こしている。
【０００８】
一般に、着信者との間に時差がある場合、発信者は相手の時間帯に配慮して電話を掛けるが、着信者が移動機を用い、ユニバーサルナンバーを使用している場合には、着信者が時差の異なる地域に出向いていても、発信者は着信者との間に時差があることが分からず、電話を掛けてしまい、また、通信網は時差に係わりなく通信サービスを提供するため、特に時差が大きく通信網間で昼夜が逆転するような場合には、着信者は深夜の着信音に悩まされたり、また、設定時刻に応じた夜間転送禁止サービスや留守番電話サービスや着信規制サービスを登録するにしても、加入者のホーム通信網の標準時に合わせて時刻を設定しなければならず、非常に煩雑であった。
【０００９】
本発明は、加入者の移動先地域の標準時とホーム通信網の標準時との時差を通信網側で補正し、加入者は移動先地域の標準時による時刻に応じた各種付加サービスを受けることができる通信付加サービスシステムを提供することを目的とする。
【００１０】
【課題を解決するための手段】
本発明の時差補正時刻による通信付加サービスシステムは、（１）異なる標準時を使用する通信網の間で、設定時刻に応じた付加サービスを実行する通信システムにおいて、当該付加サービスを登録した加入者のホーム通信網と該加入者の移動先通信網との間で送受される通信網識別番号情報を基に移動先通信網との間の時差を求める手段と、前記ホーム通信網のホームロケーションレジスタに格納された加入者データ内の付加サービス用タイムテーブルの設定時刻から、前記移動先通信網との時差を基に時差補正した移動先通信網の標準時によるタイムテーブルを作成し、保持する手段と、前記移動先通信網からの前記タイムテーブルの変更要求に応じて、前記移動先通信網の標準時によるタイムテーブルを変更する手段とを備え、前記移動先通信網の標準時によるタイムテーブルを基に設定時刻に応じた付加サービスを実行するものである。
【００１１】
また、（２）前記付加サービスを登録した加入者のホーム通信網は、前記移動先通信網との間の時差を求める手段と、前記時差補正した移動先通信網の標準時によるタイムテーブルを作成し、保持する手段と、前記時差補正した移動先通信網の標準時によるタイムテーブルを移動先通信網に送信する手段とを備えたものである。
【００１２】
また、（３）前記加入者の移動先通信網は、前記付加サービスを登録した加入者のホーム通信網との間の時差を求める手段と、前記時差補正した移動先通信網の標準時によるタイムテーブルを作成し、保持する手段と、前記時差補正した移動先通信網の標準時によるタイムテーブルを前記加入者のホーム網に送信する手段とを備えたものである。
【００１３】
また、（４）異なる標準時を使用する通信網の間で、設定時刻に応じた付加サービスを実行する通信システムにおいて、当該付加サービスを登録した加入者のホーム通信網の識別番号情報を基に、該通信網のホームロケーションレジスタに格納された加入者データ内の付加サービス用タイムテーブルの設定時刻を、国際標準時による時刻に時差補正したタイムテーブルを格納する汎用ロケーションレジスタを設け、各通信網は、前記汎用ロケーションレジスタに格納された国際標準時によるタイムテーブルを読み出し、それぞれの通信網で使用している標準時と国際標準時との時差を基に、前記国際標準時によるタイムテーブルの設定時刻を各通信網で使用されている標準時の時刻に時差補正する手段を備え、各通信網は、それぞれの通信網の標準時刻に時差補正したタイムテーブルに基づいて設定時刻に応じた付加サービスを実行するものである。
【００１４】
また、（５）前述の（１）に記載した通信網識別番号情報を基に移動先通信網との間の時差を求める手段に代えて、移動先通信網において、移動機に内蔵された時計機能の時刻情報を受信し、該時刻情報を基に移動先通信網の標準時刻との時差を求める手段を備えたものである。
【００１５】
また、（６）前記移動先通信網は、前記移動機に内蔵された時計機能の時刻情報から時差を求めた後、該移動機内蔵の時計機能の時刻を時差補正する信号を該移動機に送信する手段を備えたものである。
【００１６】
【発明の実施の形態】
本発明の実施の形態として、移動通信網間のローミングサービスを行なう通信システムを例に挙げて説明する。ローミングサービスは、加入者が直接契約している通信事業者の通信網（ホーム通信網）のサービスエリア内だけではなく、契約していない通信事業者の通信網（移動先通信網）のサービスエリア内でも、通信サービスが受けられるようにしたサービスである。
【００１７】
図１は本発明の実施の形態の移動通信網間の時差補正のメッセージシーケンスを示す図である。ここで、１−１は移動通信交換局（ＭＳＣ：Ｍｏｂｉｌｅ  Ｓｅｒｖｉｃｅ  Ｓｗｉｔｃｈｉｎｇ  Ｃｅｎｔｅｒ）、１−２はホームロケーションレジスタ（ＨＬＲ：Ｈｏｍｅ  Ｌｏｃａｔｉｏｎ  Ｒｅｇｉｓｔｅｒ）、１−３はゲートウェイロケーションレジスタ（ＧＬＲ：Ｇａｔｅｗａｙ  Ｌｏｃａｔｉｏｎ  Ｒｅｇｉｓｔｅｒ）、１−４は在圏移動通信交換局（ＶＭＳＣ：Ｖｉｓｉｔｏｒ  Ｍｏｂｉｌｅ  Ｓｅｒｖｉｃｅ  Ｓｗｉｔｃｈｉｎｇ  Ｃｅｎｔｅｒ）、１−５は移動機（ＭＳ：Ｍｏｂｉｌｅ  Ｓｔａｔｉｏｎ）、１−６は時差補正処理部、１−７はオリジナルタイムテーブル、１−８はローミング用タイムテーブルである。
【００１８】
ホーム網のホームロケーションレジスタ（ＨＬＲ）１−２は、ホーム網に収容されている移動機（ＭＳ）１−５の加入者データを格納し、該移動機（ＭＳ）１−５は通常、ローミングサービスにより他の通信事業者のサービスエリアでも通話をすることができる。
【００１９】
移動機（ＭＳ）１−５は、サービスエリアの移動により位置登録が必要になると、在圏移動通信交換局（ＶＭＳＣ）１−４に対して位置登録要求を行う（シーケンス１）。なお、図１においてシーケンス番号は、○内の番号により表している。
【００２０】
在圏移動通信交換局（ＶＭＳＣ）１−４は、位置登録要求をしてきた移動機（ＭＳ）１−５が正当な移動機かをチェックするため、認証要求を送信し、移動機（ＭＳ）１−５内部に格納されている認証情報を要求する（シーケンス２）。
【００２１】
移動機（ＭＳ）１−５は、認証要求に対し、移動機（ＭＳ）１−５の認証情報を在圏移動通信交換局（ＶＭＳＣ）１−４に送信して認証応答する（シーケンス３）。在圏移動通信交換局（ＶＭＳＣ）１−４は、移動機（ＭＳ）１−５の認証情報についての詳細情報の読出しをゲートウェイロケーションレジスタ（ＧＬＲ）１−３へ要求する（シーケンス４）。
【００２２】
ゲートウェイロケーションレジスタ（ＧＬＲ）１−３は、移動機（ＭＳ）１−５の加入者データを格納しているホームロケーションレジスタ（ＨＬＲ）１−２に当該認証情報の加入者データの読出しを要求する（シーケンス５）。
【００２３】
また、そのときに、ゲートウェイロケーションレジスタ（ＧＬＲ）１−３の通信網識別番号情報、例えば事業者番号情報をホームロケーションレジスタ（ＨＬＲ）１−２に送信し、ホームロケーションレジスタ（ＨＬＲ）１−２の時差補正処理部１−６は、ゲートウェイロケーションレジスタ（ＧＬＲ）１−３の通信網識別番号情報から、ホームロケーションレジスタ（ＨＬＲ）１−２で管理する時差管理データテーブルを参照し、時差情報を求めて時差補正処理を行なう。
【００２４】
時差補正処理部１−６は、当該加入者の設定時刻による付加サービスを登録したオリジナルタイムテーブル１−７から、時差補正を行ったタイムテーブルを作成し、ローミング用タイムテーブル１−８として追加し、加入者データとともにこの追加したローミング用タイムテーブル１−８の設定内容を、ゲートウェイロケーションレジスタ（ＧＬＲ）１−３へ送信する（シーケンス６）。
【００２５】
ゲートウェイロケーションレジスタ（ＧＬＲ）１−３は、ホームロケーションレジスタ（ＨＬＲ）１−２から送信されたローミング用タイムテーブル１−８を保持する。即ち、ゲートウェイロケーションレジスタ（ＧＬＲ）１−３は、在圏通信網の標準時刻のタイムテーブルを保有する。
【００２６】
また、ゲートウェイロケーションレジスタ（ＧＬＲ）１−３は、受信した加入者データから正規の認証情報を取り出し、取り出した認証情報を在圏移動通信交換局（ＶＭＳＣ）１−４へ送信する（シーケンス７）。
【００２７】
在圏移動通信交換局（ＶＭＳＣ）１−４は、移動機（ＭＳ）１−５に格納されていた認証情報と、ホームロケーションレジスタ（ＨＬＲ）１−２から読み出された正規の認証情報との照合を行う。
【００２８】
在圏移動通信交換局（ＶＭＳＣ）１−４は、移動機（ＭＳ）１−５の正当性を確認した後、ゲートウェイロケーションレジスタ（ＧＬＲ）１−３に対して、移動機（ＭＳ）１−５の位置登録を指示し（シーケンス８）、また、移動機（ＭＳ）１−５に位置登録要求を受け付けたことを通知する（シーケンス９）。
【００２９】
ゲートウェイロケーションレジスタ（ＧＬＲ）１−３は、ローミング番号とゲートウェイロケーションレジスタ（ＧＬＲ）１−３の番号とを、ローミング移動機の加入者データが格納されているホームロケーションレジスタ（ＨＬＲ）１−２へ送信して網間位置登録を行なう（シーケンス１０）。
【００３０】
ホームロケーションレジスタ（ＨＬＲ）１−２は、移動先のゲートウェイロケーションレジスタ（ＧＬＲ）１−３との間で、当該加入者データに関してリンク（関連付け）を設定し、網間位置登録を完了すると、その旨を通知をゲートウェイロケーションレジスタ（ＧＬＲ）１−３に通知する（シーケンス１１）。
【００３１】
ゲートウェイロケーションレジスタ（ＧＬＲ）１−３が網間位置登録完了通知を受信すると、その後、ゲートウェイロケーションレジスタ（ＧＬＲ）１−３に保有される加入者データは、ローミング用加入者データとして使用可能となる（シーケンス１２）。
【００３２】
移動機（ＭＳ）１−５がタイムテーブルの内容変更を要求すると（シーケンス１３）、在圏移動通信交換局（ＶＭＳＣ）１−４は、ゲートウェイロケーションレジスタ（ＧＬＲ）１−３にタイムテーブル変更の要求を送信する（シーケンス１４）。
【００３３】
ゲートウェイロケーションレジスタ（ＧＬＲ）１−３は、保有しているタイムテーブルを更新するとともに、ホームロケーションレジスタ（ＨＬＲ）１−２に対しタイムテーブル変更の指示情報を送信し（シーケンス１５）、ホームロケーションレジスタ（ＨＬＲ）１−２はローミング用タイムテーブル１−８を更新する。
【００３４】
図２は本発明の実施の形態の移動通信網間の時差補正の処理フローを示す図である。同図に示す時差補正の処理は、図１のシーケンス５とシーケンス６の間で行なわれる処理である。
【００３５】
ホーム通信網において、ゲートウェイロケーションレジスタ（ＧＬＲ）から加入者データの読出し要求を受信すると（２−１）、ホームロケーションレジスタ（ＨＬＲ）から加入者データを読み出し（２−２）、該加入者データを参照してタイムテーブル使用サービスの登録が有るか否かを判定する（２−３）。
【００３６】
タイムテーブル使用サービスの登録が無い場合は、時差補正処理を行なうことなく、読み出した加入者データを、ゲートウェイロケーションレジスタ（ＧＬＲ）に送信する（２−８）だけで、処理を終了する。
【００３７】
タイムテーブル使用サービスの登録が有る場合は、ローミング先の通信事業者番号等の通信網識別番号情報を読み出し（２−４）、該通信網識別番号情報から時差管理データテーブル２−１０を検索し、設定時差を判定する（２−５）。時差管理データテーブル２−１０には、ローミング先の通信事業者番号等の通信網識別番号情報毎に、ホーム通信網との時差が予め格納されている。
【００３８】
設定時差がゼロである場合、即ち、時差が無い場合は、時差補正処理を行なうことなく、読み出した加入者データを、ゲートウェイロケーションレジスタ（ＧＬＲ）に送信し（２−８）、処理を終了する。
【００３９】
時差が有る場合、ホームロケーションレジスタ（ＨＬＲ）にローミング用タイムテーブルエリアを確保し（２−６）、時差補正を行なってローミング用タイムテーブルを編集し（２−７）、そのローミング用タイムテーブルを含む加入者データをゲートウェイロケーションレジスタ（ＧＬＲ）に送信（２−８）し、処理を終了する。
【００４０】
図３は本発明の実施の形態の付加サービスのタイム管理テーブルの説明図である。ホームロケーションレジスタ（ＨＬＲ）は、図３に示すように、設定時刻に応じた付加サービス用のタイム管理テーブルを含む加入者データ３−１を格納する。
【００４１】
加入者データ３−１は、移動機番号ＭＳＮ毎に移動機識別子ＭＳＩ、ローミング番号ＲＯＮ等の加入者データのほかに、付加サービス毎のタイムテーブルインデックスを含み、付加サービス毎のタイムテーブルインデックスは、自網（ホーム通信網）用のタイムテーブルアドレスとローミング用のタイムテーブルアドレスとを含んでいる。
【００４２】
自網（ホーム通信網）用のタイムテーブル３−２は、自網（ホーム通信網）における標準時刻を基にした曜日、日時、時間帯等の付加サービス要求において設定した時刻情報を記憶保持し、ローミング用のタイムテーブル３−３は、自網（ホーム通信網）用のタイムテーブルに設定された時刻情報を、ローミング先の通信網との時差により補正した時刻情報を記憶保持する。
【００４３】
移動機（ＭＳ）がゲートウェイロケーションレジスタ（ＧＬＲ）に対し，タイムテーブルに関する付加サービスの変更要求を行なった場合は、ゲートウェイロケーションレジスタ（ＧＬＲ）は、ホームロケーションレジスタ（ＨＬＲ）に対し、タイムテーブル変更要求を送信し、ホームロケーションレジスタ（ＨＬＲ）は、常にゲートウェイロケーションレジスタ（ＧＬＲ）と同じ設定内容のタイムテーブルを格納する。
【００４４】
このように、移動通信網間のローミングサービスにおいて、移動機のホーム通信網と移動先通信網（在圏通信網）との間に時差があり、該移動機の加入者がタイムテーブルを使用した付加サービスを登録している場合、ホーム通信網と移動先通信網との間で、通信事業者番号等の通信網識別番号情報を送受することにより、その間の時差を算出し、ホーム通信網に保有された加入者データのうちの付加サービス用タイムテーブルの時刻を時差補正し、この時差補正したタイムテーブルをホーム通信網と移動先通信とで保有し、この時差補正したタイムテーブルに基づいて、各通信網は設定時刻に応じた各種付加サービスを伴う呼接続を実行する。
【００４５】
例えば、移動機（ＭＳ）がホームロケーションレジスタ（ＨＬＲ）に、ホーム通信網の標準時刻の午前６時から正午までのコールフォワーディングサービス（呼の転送サービス）の設定を行っているものとする。
【００４６】
その後、移動機（ＭＳ）が、時差１２時間の移動先通信網のゲートウェイロケーションレジスタ（ＧＬＲ）に、午後６時から翌日午前６時までの夜間転送禁止の付加サービスを登録した場合、ホームロケーションレジスタ（ＨＬＲ）でコールフォワーディングサービスが設定されている時間帯は、夜間転送禁止の時間帯となる。
【００４７】
ホーム通信網から移動先（ローミング先）通信網への着信は、移動先通信網の標準時に基づいて付加サービスが実行され、夜間転送禁止サービスが登録されていると、移動先通信網が夜間の場合は着信転送されない。
【００４８】
したがって、時差のある通信網間を移動する加入者は、その間の時差を計算して時刻を設定することなく、移動先の現地時間の時刻を指定して付加サービスを登録すればよい。
【００４９】
通常は、ホーム通信網の交換局はホームロケーションレジスタ（ＨＬＲ）のオリジナルタイムテーブルに従って転送等の付加サービスを実行するが、ホームロケーションレジスタ（ＨＬＲ）には、ローミング用タイムテーブルも格納されているため、ホーム通信網の交換局はローミング用タイムテーブルを参照し、転送禁止時間帯であれば転送不可と判断する。
【００５０】
また、通常、ホーム通信網から移動先通信網ヘＩＡＭ（Ｉｎｉｔｉａｌ  Ａｄｄｒｅｓｓ  Ｍｅｓｓａｇｅ）信号を送出する必要があるが、ローミング用タイムテーブルを参照することによりホーム通信網内で呼接続処理を終結することができ、ホーム通信網の加入者から移動先通信網への不要な呼接続を減少させることができる。
【００５１】
タイムテーブルの設定時刻による付加サービスの内容によっては、登録されている加入者電話番号に、追加情報、例えば、発信系サービスとして短縮ダイアル使用時の国際ローミング接続番号、ホットライン接続時の国際ローミング接続番号等を付与する必要が生じる。
【００５２】
これらの追加情報は、ローミング時に認識される通信事業者番号毎に、ホームロケーションレジスタ（ＨＬＲ）又はゲートウェイロケーションレジスタ（ＧＬＲ）で管理する構成とすることができる。
【００５３】
時差の補正は、ホーム通信網主導又は移動先通信網主導のいずれでも行なうことができる。ホーム通信網主導によりホームロケーションレジスタ（ＨＬＲ）においてローミング先との時差を管理する場合、ホームロケーションレジスタ（ＨＬＲ）は、オリジナルタイムテーブルから時差補正したローミング用タイムテーブルを作成し、該ローミング用タイムテーブルを移動先通信網のゲートウェイロケーションレジスタ（ＧＬＲ）へ他の加入者データと共に送信する。ホームロケーションレジスタ（ＨＬＲ）は、オリジナルタイムテーブルと時差補正後のローミング用タイムテーブルの両方を保持する。
【００５４】
移動先通信網主導によりゲートウェイロケーションレジスタ（ＧＬＲ）においてホーム通信網（ローミング元) との時差を管理する場合、ゲートウェイロケーションレジスタ（ＧＬＲ）は、前述の図１のシーケンス６により、ホームロケーションレジスタ（ＨＬＲ）からオリジナルタイムテーブルを含む加入者データとホーム通信網の識別番号情報とを受信し、それらの情報からオリジナルタイムテーブルを時差補正してローミング用タイムテーブルを作成し、保持するとともに該ローミング用タイムテーブルをホームロケーションレジスタ（ＨＬＲ）２へ送信する。
【００５５】
ホームロケーションレジスタ（ＨＬＲ）は、送信されたローミング用タイムテーブルをオリジナルタイムテーブルに追加し、オリジナルタイムテーブルとローミング用タイムテーブルの両方を保持する。
【００５６】
更に、時差補正を国際標準時を基に行なうことができる。時差を有するサービスエリア間で通信することを前提とする加入者に対して、その加入者データを格納する汎用ロケーションレジスタを新規に設置し、この汎用ロケーションレジスタは、各通信網の交換局からが共通に参照可能な構成とし、各通信網の交換局は、該汎用ロケーションレジスタから読み出した加入者データのタイムテーブルを、各通信網の標準時に時差補正して使用し、付加サービスを実行する。
【００５７】
図４は本発明実施の形態の国際標準時を基にした時差補正の説明図である。同図において、４−１は汎用ロケーションレジスタ、４−２は地域時刻Ａの通信網Ａ、４−３は地域時刻Ｂの通信網Ｂである。
【００５８】
汎用ロケーションレジスタ４−１は、通信網Ａと通信網Ｂとを移動する移動機の加入者データを格納する。汎用ロケ−ションレジスタ４−１に格納されている加入者データのタイムテーブルは、全て国際標準時を基にした時刻で管理する。
【００５９】
各通信網Ａ, Ｂは、それぞれ国際標準時との時差情報を保有し、加入者データのタイムテーブルを基に付加サービスを実行する際、国際標準時との時差情報を基に、汎用ロケ−ションレジスタ４−１から読み出したタイムテーブルの設定時に時差補正を行なって付加サービスを実行する。
【００６０】
例えば、加入者が時間帯指定のコールフォワーディングサービスを登録している場合、加入者が通信網Ａから通信網Ｂへ移動し、夜間転送禁止を通信網Ｂで登録したとする。
【００６１】
汎用ロケーションレジスタ４−１には、コールフォワーディングサービスの転送情報が登録されているが、夜間転送禁止を登録すると、通信網Ｂは、通信網Ｂの夜間時間帯を標準時刻に変換した時間帯にして、汎用ロケーションレジスタ４−１に夜間転送禁止の登録を行なう。
【００６２】
前述までの本発明の実施の形態の時差補正は、各通信網の通信事業者番号情報等の通信網識別番号情報を通信網間で送受し、通信網識別番号情報から時差管理データテーブルを検索して時差を求めて時差補正を行なうものであったが、時差を、移動機に内臓されている時計機能の時刻情報を受信して求めることもできる。
【００６３】
前述のシーケンス１において、移動機の位置登録時に移動機内蔵の時計機能の時刻情報を位置登録要求とともに在圏移動通信交換局（ＶＭＳＣ）１−４へ送信し、在圏移動通信交換局（ＶＭＳＣ）１−４は、この時刻情報と在圏移動通信交換局（ＶＭＳＣ）１−４の標準時との差分を計算し、その差分をゲートウェイロケーションレジスタ（ＧＬＲ）１−３に送信し、ゲートウェイロケーションレジスタ（ＧＬＲ）１−３は、前述した移動先通信網（在圏網）主導による時差補正を行い、前述のシーケンス６により読み出した加入者データのタイムテーブルの設定時刻を補正し、ローミング用タイムテーブルを作成する。
【００６４】
更に、在圏移動通信交換局（ＶＭＳＣ）１−４は、移動機内蔵の時計機能の時刻情報を受信した後、前述のシーケンス９において在圏移動通信交換局（ＶＭＳＣ）１−４から移動機１−５へ位置登録受付を通知する際に、在圏網の標準時刻を移動機１−５に送信し、移動機内蔵の時計機能を在圏網の標準時刻に修正することができる。
【００６５】
【発明の効果】
以上説明したように、本発明によれば、設定時刻に応じた付加サービスを登録した加入者のタイムテーブルを、移動先通信網の標準時を基にした時差補正し、該時差補正したタイムテーブルに従って設定時刻に応じた付加サービスを実行することにより、加入者は移動先通信網の時差に配慮することなく、設定時刻に応じた付加サービスを受けることができる。
【００６６】
また、移動先通信網の標準時に時差補正したタイムテーブルをホーム通信網に備え、ホーム通信網は、時差補正したタイムテーブルに従って付加サービスを実行することにより、ホーム通信網の加入者から移動先通信網への不要な問い合わせ等の呼接続を減少させ、回線保有率を軽減させることができる。
【図面の簡単な説明】
【図  １】本発明の実施の形態の移動通信網間の時差補正のメッセージシーケンスを示す図である。
【図  ２】本発明の実施の形態の移動通信網間の時差補正の処理フローを示す図である。
【図  ３】本発明の実施の形態の付加サービスのタイム管理テーブルの説明図である。
【図  ４】本発明の実施の形態の国際標準時を基にした時差補正の説明図である。
【符号の説明】
１−１  移動通信交換局（ＭＳＣ）
１−２  ホームロケーションレジスタ（ＨＬＲ）
１−３  ゲートウェイロケーションレジスタ（ＧＬＲ）
１−４  在圏移動通信交換局（ＶＭＳＣ）
１−５  移動機（ＭＳ）
１−６  時差補正処理部
１−７  オリジナルタイムテーブル
１−８  ローミング用タイムテーブル
【図１】
0004022793.tif 000002
【図２】
0004022793.tif 000003
【図３】
0004022793.tif 000004
【図４】
0004022793.tif 000005